(57)【要約】【課題】観客席として上下に段差をつけるために室内の床に一部可動とするのに、簡易な動力機構で、構造も複雑ではなく安価に形成できる昇降床を提供する。【解決手段】室内の床の一部を構成する可動床部分として一辺が１０００〜１５００ｍｍの矩形な仕上げ用床台２６を載置するトップフレーム２３と、支承台としてのベースフレーム２１と、これらトップフレーム２３、ベースフレーム21に摺動自在な中間フレーム２２とからなり、中間フレーム２２内に、中央を境に右ネジ５a、左ネジ５ｂと螺子向きが逆行するネジシャフト５を回動可能に架設し、ネジシャフト５の中央と中間フレーム２２内に設置したモータ７とをウォームギアにより結合させ、前記ネジシャフト５に螺合させるナット９、９′を移動体として、この移動体とトップフレーム２３およびベースフレーム２１の内側隅部とにアーム１０をその端部を軸着して掛渡した。【選択図】  図１
2020060069.tif 000002
【特許請求の範囲】
【請求項１】
室内の床の一部を構成する可動床部分として一辺が１０００〜１５００ｍｍの矩形な仕上床台を載置するトップフレームと、支承台としてのベースフレームと、これらトップフレーム、ベースフレームに摺動自在な中間フレームとからなり、中間フレーム内に、中央を境に螺子向きが逆行するネジシャフトを回動可能に架設し、ネジシャフト中央と中間フレーム内に設置したモータとをウォームギアにより結合させ、前記ネジシャフトに螺合させるナットを移動体として、この移動体とトップフレームおよびベースフレームの内側隅部とにアームをその端部を軸着して掛渡したことを特徴とする昇降床。
【発明の詳細な説明】
【技術分野】
【０００１】
本発明は、住宅やレストラン、ミニ集会場等の床の一画に形成する昇降床に関するものである。
【背景技術】
【０００２】
多目的ホール、スタジオだけでなく式場、食堂等で部分的に設けられる可動床として、ブロックごとに独立して当該可動床の高さを調節可能としたもので、可動床を階段状観客席にしたり、ステージにしたり、平床にする他に、ホール内において下段フロアーと上段フロアーとの間に可動床からなる階段を設けたりするなどして、多様性に富んだ床配列を行えるものが、下記特許文献１に示すようにある。
【特許文献１】特許第５１６６０８３号公報
【０００３】
この特許文献１は、床を複数の所定形状のブロックに分割し、各ブロックの任意のものを高さ調節可能な昇降手段を備える複数の可動床体としたものである。
【０００４】
可動床体に設ける昇降手段は、可動床体の下面から突設した支持フレームと、この支持フレームを適宜高さ位置に係止する昇降フレームと、この昇降フレーム内に一体に取付けられた内ネジによる昇降パイプと、ベース上に立設され前記昇降パイプの内部に螺合するネジ棒と、前記と同じベース上に立設され昇降フレームが昇降するガイドパイプと、前記ネジ棒を回転させるギヤとで構成した。
【０００５】
特許文献１は、多目的ホール、スタジオなど比較的大きな施設を対象としたものであり、ネジスクリュー式の昇降手段を分割体ごとに設けたものであり、装置が大掛かりなものとなるとして、下記特許文献２は出願人が前記特許文献１の可動床を簡易なものとして改良したものであり、図７に示すように、ピット２０の底に設けるベースフレーム２１に第１段目の電動ジャッキ２４を設け、これで中間フレーム２２を昇降自在に支承し、中間フレーム２２に第２段目の電動ジャッキ２５を設け、この第２段目の電動ジャッキ２５でトップフレーム２３を昇降自在に支承し、トップフレーム２３に仕上げ用床台２６を取り付け、前記中間フレーム２２の端部にベースフレーム２１の立ち上がり部２７とトップフレーム２３の垂下部２９に係合する触れ止め用縦フレーム２８を設けてなる可動床部分を、室内の床の一部に設けた。
【特許文献２】特許第６３７６７１２号公報
【０００６】
使用は可動床部分は室内の床の一部として設けるものであり、複数を並べて設けることも可能である。
【０００７】
床レベルは０〜６００ｍｍで、図８に示すように仕上げ用床台２６の上には観客席となる椅子３０を設置することができる。
【０００８】
コントローラ（図示せず）を操作して第１段目の電動ジャッキ２４を駆動して伸長すれば中間フレーム２２が上昇し、第２段目の電動ジャッキ２５を駆動すればトップフレーム２３および仕上げ用床台２６が上昇する。
【０００９】
この第１段目の電動ジャッキ２４と第２段目の電動ジャッキ２５は個別に駆動しても、同時に駆動してもよい。
【００１０】
このようにして可動床部分はせり上がり、前列の非可動床部分の床と段差がつくのでホールのような状態を通り出すことができ、ミニ演奏会を行う場合、もしくは、シアターを設置する場合などに、好適な観客席を作りだすことができる。
【００１１】
また、上昇した可動床部分を下降させるには逆の動作を行う。
【発明の概要】
【発明が解決しようとする課題】
【００１２】
前記特許文献２の可動床は、観客席として上下に段差をつけるために室内の床を一部可動とするのに、簡易な動力機構で、構造も複雑ではなく安価に形成できるものであるが、上下複数段に電動ジャッキを設けるもので、最低でも４個の電動ジャッキを必要とし、１台のコントローラでの操作では駆動差が生じ、アンバランスになるおそれがある。
【００１３】
本発明の目的は前記従来例の不都合を解消し、観客席として上下に段差をつけるために室内の床を一部可動とするのに、多くのジャッキを必要とせず、より、
簡易な機構で、構造も複雑ではなく安価に製作できる昇降床を提供することにある。
【課題を解決するための手段】
【００１４】
前記目的を達成するため請求項１記載の本発明は、室内の床の一部を構成する可動床部分として一辺が１０００〜１５００ｍｍの矩形な仕上床台を載置するトップフレームと、支承台としてのベースフレームと、これらトップフレーム、ベースフレームに摺動自在な中間フレームとからなり、中間フレーム内に、中央を境に螺子向きが逆行するネジシャフトを回動可能に架設し、ネジシャフト中央と中間フレーム内に設置したモータとをウォームギアにより結合させ、前記ネジシャフトに螺合させるナットを移動体として、この移動体とトップフレームおよびベースフレームの内側隅部とにアームをその端部を軸着して掛渡したことを要旨とするものである。
【００１５】
請求項１記載の本発明によれば、ウォームギアを介して１個のモータで１本のネジシャフトを回転駆動でき、このネジシャフトの回転で移動体が移動してアームの角度が変わり、トップフレームを押し上げ、もしくは押し下げて仕上床台を昇降させることができる。
【発明の効果】
【００１６】
以上述べたように本発明の昇降床は、観客席として上下に段差をつけるために室内の床を一部可動とするのに、多くのジャッキを必要とせず、より、簡易な機構で、構造も複雑ではなく安価に製作できるものである。
【図面の簡単な説明】
【００１７】
【図１】本発明の昇降床の１実施形態を示す縦断側面図である。
【図２】本発明の昇降床の１実施形態を示す横断平面図である。
【図３】本発明の昇降床のトップフレーム、中間フレーム、ベースフレームの組み合わせを示す斜視図である。
【図４】本発明の昇降床のトップフレームの斜視図である。
【図５】本発明の昇降床の中間フレームの斜視図である。
【図６】本発明の昇降床のベースフレームの斜視図である。
【図７】従来例を示す側面図である。
【図８】従来例の使用状態を示す一部切り欠いた示す側面図である。
【発明を実施するための形態】
【００１８】
以下、図面について本発明の実施の形態を詳細に説明する。図１は本発明の昇降床の１実施形態を示す縦断側面図、図２は同上横断平面図で、前記従来例を示す図７と同一構成要素には同一参照符号を付したものである。
【００１９】
本発明も前記従来例とおなじくピット２０の底に設けるベースフレーム２１と中間フレーム２２とトップフレーム２３から構成し、トップフレーム２３には仕上げ用床台２６を取り付けた。
【００２０】
これらトップフレーム２３、中間フレーム２２、ベースフレーム２１は、図３に示すように、中間フレーム２２を中にして上下に並び、相対的に変位可能なものである。
【００２１】
ベースフレーム２１は図６に示すように台板となる正方形の水平枠１から柱状の立ち上がり部２７、２７′を立設した。なお、水平枠１はこれを板に変えることもでき、また、水平枠１の内部の空所もこれに筋交いやスリットを配置するなど特に限定はない。
【００２２】
前記立ち上がり部２７は後述の中間フレーム２の触れ止め用縦フレーム２８が係合できるようなスリット２７ａを有するものとし、立ち上がり部２７′は中間フレーム２２の平板状の触れ止め用縦フレーム２８′が摺動できるような平面２７ｂを有する。
【００２３】
前記正方形の水平枠１の４隅にはボルト固定用の孔２を形成した。
【００２４】
中間フレーム２２は図５に示すように井桁状に組んだもので、横長の桁材の端部に触れ止め用縦フレーム２８、２８′を設ける。また、内部には床板３を設けた。
【００２５】
触れ止め用縦フレーム２８は前記立ち上がり部２７のスリット２７ａに嵌るような幅狭の薄い板体であり、触れ止め用縦フレーム２８′は立ち上がり部２７′の平面２７ｂを摺動できるような平板である。
【００２６】
トップフレーム２３は図４に示すように、仕上げ用床台２６を載せる正方形の水平枠４から柱状の垂下部２９、２９′、２９″を形成している。
【００２７】
水平枠４は前記水平枠１と同じくこれを板に変えることもでき、また、水平枠４の内部の空所もこれに筋交いやスリットを配置するなど特に限定はない。
【００２８】
前記垂下部２９は前記立ち上がり部２７と同じく中間フレーム２の触れ止め用縦フレーム２８が係合できるようなスリット２９ａを有するものとし、立ち上がり部２７′は中間フレーム２２の平板状の触れ止め用縦フレーム２８′が摺動できるような平面２９ｂを有する。
【００２９】
前記正方形の水平枠４の４隅にはボルト固定用の孔２を形成し、垂下部２９″
は同４隅に設ける脚柱である。
【００３０】
トップフレーム２３に被せる仕上げ用床台２６は可動床部分として一辺が１０００〜１５００ｍｍ（図示では１１５０ｍｍ）の矩形（正方形）平面であるが、室内の床板の一部を構成するものとして、木製であり、周囲の目隠し用のスカート部２６ａを形成した箱形状のものである。
【００３１】
中間フレーム２２内に、中央を境に右ネジ５aと左ネジ５ｂとの螺子の向きが逆行するネジシャフト５を回動可能に架設し、ネジシャフト５の中央にウォームホイール６を設ける。
【００３２】
また、前記床板３上にはモータ７を設置し、このモータ７の駆動軸に設けた円筒ウォーム８を前記ウォームホイール６に噛合させた。
【００３３】
このようにしてネジシャフト５はウォームホイール６と円筒ウォーム８によるウォームギアにより結合させるが、このウォームホイール６と円筒ウォーム８は相互に入れ替えてネジシャフト５の中央に円筒ウォーム８を、モータ７の駆動軸にウォームホイール６を設けてもよい。
【００３４】
前記ネジシャフト５には右ネジ５ａと左ネジ５ｂとに移動体としてナット９，９′を螺合させるが、これらナット９、９′は右ネジ５ａと左ネジ５ｂに合わせて相互に逆向きになる内ネジを切ったものである。
【００３５】
アーム１０をこの移動体としてのナット９、９′とトップフレーム２３およびベースフレーム２１の内側隅部とその端部を軸着して掛渡した。
【００３６】
さらに、端部をこのナット９，９′に軸着する平板バー状のアーム１０の他の一端をトップフレーム２３およびベースフレーム２１の内側隅部に軸着して掛渡した。
【００３７】
前記ベースフレーム２１、中間フレーム２２、トップフレーム２３はピット２０に収まり、ベースフレーム２１とトップフレーム２３の立ち上がり部２７、２７′と垂下部２９、２９′は相対的に上下方向にならび、中間フレーム２２はこのベースフレーム２１とトップフレーム２３とで囲まれた内側に収まるようになる。
【００３８】
また、中間フレーム２２に対して、ベースフレーム２１とトップフレーム２３は変位するものであり、前記ナット９，９′はこれがネジシャフト５の中央に円筒ウォーム８に近接する位置で、アーム１０は一番起立していない。
【００３９】
次に使用法について説明する。先に仕様について説明すると本発明の可動床部分は室内の床の一部として設けるものであり、複数を並べて設けることも可能である。
【００４０】
床レベルは０〜６００ｍｍで、図８に示すように仕上げ用床台２６の上には観客席となる椅子３０を設置することができる。
【００４１】
仕上げ用床台２６は床面に位置し、前記のようにナット９，９′はこれがネジシャフト５の中央に円筒ウォーム８に近接する位置で、アーム１０は一番起立していない。
【００４２】
コントローラ（図示せず）を操作してモータ７を駆動すると、ウォームギア（ウォームホイール６と円筒ウォーム８）を介してネジシャフト５が回転し、ナット９，９′は相互に遠ざかるように、ネジシャフト５の端部方向に移動していく。
【００４３】
これに伴い、アーム１０は徐々に起立していき、トップフレーム２３および仕上げ用床台２６が上昇する。
【００４４】
アーム１０の起立はベースフレーム２１を押し下げるようにも作用するが、ベースフレーム２１はピット２０の底でこれ以上下がらないので、その分中間フレーム２２が押し上げられ、トップフレーム２３の上昇に加算される。
【００４５】
このように４本のアーム１０が傘の骨が開くように上下および四方にバランスをとって開いていく。
【００４６】
このようにして仕上げ用床台２６はせり上がり、前列の非可動床部分の床と段差がつくのでホールのような状態を通り出すことができ、ミニ演奏会を行う場合、もしくは、シアターを設置する場合などに、好適な観客席を作りだすことができる。
【００４７】
また、上昇した仕上げ用床台２６を下降させるには逆の動作を行う。
【符号の説明】
【００４８】
１…水平枠                  ２…孔
３…床板                    ４…水平枠
５…ネジシャフト            ５a…右ネジ
５ｂ…左ネジ                ６…ウォームホイール
７…モータ                  ８…円筒ウォーム
９、９′…ナット            １０…アーム
２０…ピット                ２１…ベースフレーム
２２…中間フレーム          ２３…トップフレーム
２４、２５…電動ジャッキ    ２６…仕上げ用床台
２６ａ…スカート部
２７、２７′…立ち上がり部
２７ａ…スリット            ２７ｂ…平面
２８、２８′…触れ止め用縦フレーム
２９、２９′、２９″…垂下部
２９ａ…スリット            ２９ｂ…平面
３０…椅子
【図１】
2020060069.tif 000003
【図２】
2020060069.tif 000004
【図３】
2020060069.tif 000005
【図４】
2020060069.tif 000006
【図５】
2020060069.tif 000007
【図６】
2020060069.tif 000008
【図７】
2020060069.tif 000009
【図８】
2020060069.tif 000010
【手続補正書】
【提出日】令和2年2月18日(2020.2.18)
【手続補正１】
【補正対象書類名】明細書
【補正対象項目名】全文
【補正方法】変更
【補正の内容】
【発明の詳細な説明】
【技術分野】
【０００１】
本発明は、住宅やレストラン、ミニ集会場等の床の一画に形成する昇降床に関するものである。
【背景技術】
【０００２】
多目的ホール、スタジオだけでなく式場、食堂等で部分的に設けられる可動床として、ブロックごとに独立して当該可動床の高さを調節可能としたもので、可動床を階段状観客席にしたり、ステージにしたり、平床にする他に、ホール内において下段フロアーと上段フロアーとの間に可動床からなる階段を設けたりするなどして、多様性に富んだ床配列を行えるものが、下記特許文献１に示すようにある。
【特許文献１】特許第５１６６０８３号公報
【０００３】
この特許文献１は、床を複数の所定形状のブロックに分割し、各ブロックの任意のものを高さ調節可能な昇降手段を備える複数の可動床体としたものである。
【０００４】
可動床体に設ける昇降手段は、可動床体の下面から突設した支持フレームと、この支持フレームを適宜高さ位置に係止する昇降フレームと、この昇降フレーム内に一体に取付けられた内ネジによる昇降パイプと、ベース上に立設され前記昇降パイプの内部に螺合するネジ棒と、前記と同じベース上に立設され昇降フレームが昇降するガイドパイプと、前記ネジ棒を回転させるギヤとで構成した。
【０００５】
特許文献１は、多目的ホール、スタジオなど比較的大きな施設を対象としたものであり、ネジスクリュー式の昇降手段を分割体ごとに設けたものであり、装置が大掛かりなものとなるとして、下記特許文献２は出願人が前記特許文献１の可動床を簡易なものとして改良したものであり、図７に示すように、ピット２０の底に設けるベースフレーム２１に第１段目の電動ジャッキ２４を設け、これで中間フレーム２２を昇降自在に支承し、中間フレーム２２に第２段目の電動ジャッキ２５を設け、この第２段目の電動ジャッキ２５でトップフレーム２３を昇降自在に支承し、トップフレーム２３に仕上げ用床台２６を取り付け、前記中間フレーム２２の端部にベースフレーム２１の立ち上がり部２７とトップフレーム２３の垂下部２９に係合する触れ止め用縦フレーム２８を設けてなる可動床部分を、室内の床の一部に設けた。
【特許文献２】特許第６３７６７１２号公報
【０００６】
使用は可動床部分は室内の床の一部として設けるものであり、複数を並べて設けることも可能である。
【０００７】
床レベルは０〜６００ｍｍで、図８に示すように仕上げ用床台２６の上には観客席となる椅子３０を設置することができる。
【０００８】
コントローラ（図示せず）を操作して第１段目の電動ジャッキ２４を駆動して伸長すれば中間フレーム２２が上昇し、第２段目の電動ジャッキ２５を駆動すればトップフレーム２３および仕上げ用床台２６が上昇する。
【０００９】
この第１段目の電動ジャッキ２４と第２段目の電動ジャッキ２５は個別に駆動しても、同時に駆動してもよい。
【００１０】
このようにして可動床部分はせり上がり、前列の非可動床部分の床と段差がつくのでホールのような状態を通り出すことができ、ミニ演奏会を行う場合、もしくは、シアターを設置する場合などに、好適な観客席を作りだすことができる。
【００１１】
また、上昇した可動床部分を下降させるには逆の動作を行う。
【発明の概要】
【発明が解決しようとする課題】
【００１２】
前記特許文献２の可動床は、観客席として上下に段差をつけるために室内の床を一部可動とするのに、簡易な動力機構で、構造も複雑ではなく安価に形成できるものであるが、上下複数段に電動ジャッキを設けるもので、最低でも４個の電動ジャッキを必要とし、１台のコントローラでの操作では駆動差が生じ、アンバランスになるおそれがある。
【００１３】
本発明の目的は前記従来例の不都合を解消し、観客席として上下に段差をつけるために室内の床を一部可動とするのに、多くのジャッキを必要とせず、より、簡易な機構で、構造も複雑ではなく安価に製作できる昇降床を提供することにある。
【課題を解決するための手段】
【００１４】
前記目的を達成するため請求項１記載の本発明は、室内の床の一部を構成する可動床部分として一辺が１０００〜１５００ｍｍの矩形な仕上床台を載置するトップフレームと、支承台としてのベースフレームと、これらトップフレーム、ベースフレームに摺動自在な中間フレームとからなり、ベースフレームとトップフレームの立ち上がり部と垂下部は相対的に上下方向にならび、中間フレームはこのベースフレームとトップフレームとで囲まれた内側に収まり、中間フレーム内に、中央を境に螺子向きが逆行するネジシャフトを回動可能に架設し、ネジシャフトの中央にウォームホイールを設け、また、中間フレームの床板上にはモータを設置し、このモータの駆動軸に設けた円筒ウォームを前記ウォームホイールに噛合させ、前記ネジシャフトに螺合させるナットを移動体として、この移動体としてのナットを有する部材とトップフレームおよびベースフレームの内側隅部４つとにアームをその端部を軸着して掛渡したことを要旨とするものである。
【００１５】
請求項１記載の本発明によれば、ウォームギアを介して１個のモータで１本のネジシャフトを回転駆動でき、このネジシャフトの回転で移動体が移動してアームの角度が変わり、トップフレームを押し上げ、もしくは押し下げて仕上床台を昇降させることができる。
【発明の効果】
【００１６】
以上述べたように本発明の昇降床は、観客席として上下に段差をつけるために室内の床を一部可動とするのに、多くのジャッキを必要とせず、より、簡易な機構で、構造も複雑ではなく安価に製作できるものである。
【図面の簡単な説明】
【００１７】
【図１】本発明の昇降床の１実施形態を示す縦断側面図である。
【図２】本発明の昇降床の１実施形態を示す横断平面図である。
【図３】本発明の昇降床のトップフレーム、中間フレーム、ベースフレームの組み合わせを示す斜視図である。
【図４】本発明の昇降床のトップフレームの斜視図である。
【図５】本発明の昇降床の中間フレームの斜視図である。
【図６】本発明の昇降床のベースフレームの斜視図である。
【図７】従来例を示す側面図である。
【図８】従来例の使用状態を示す一部切り欠いた示す側面図である。
【発明を実施するための形態】
【００１８】
以下、図面について本発明の実施の形態を詳細に説明する。図１は本発明の昇降床の１実施形態を示す縦断側面図、図２は同上横断平面図で、前記従来例を示す図７と同一構成要素には同一参照符号を付したものである。
【００１９】
本発明も前記従来例とおなじくピット２０の底に設けるベースフレーム２１と中間フレーム２２とトップフレーム２３から構成し、トップフレーム２３には仕上げ用床台２６を取り付けた。
【００２０】
これらトップフレーム２３、中間フレーム２２、ベースフレーム２１は、図３に示すように、中間フレーム２２を中にして上下に並び、相対的に変位可能なものである。
【００２１】
ベースフレーム２１は図６に示すように台板となる正方形の水平枠１から柱状の立ち上がり部２７、２７′を立設した。なお、水平枠１はこれを板に変えることもでき、また、水平枠１の内部の空所もこれに筋交いやスリットを配置するなど特に限定はない。
【００２２】
前記立ち上がり部２７は後述の中間フレーム２の触れ止め用縦フレーム２８が係合できるようなスリット２７ａを有するものとし、立ち上がり部２７′は中間フレーム２２の平板状の触れ止め用縦フレーム２８′が摺動できるような平面２７ｂを有する。
【００２３】
前記正方形の水平枠１の４隅にはボルト固定用の孔２を形成した。
【００２４】
中間フレーム２２は図５に示すように井桁状に組んだもので、横長の桁材の端部に触れ止め用縦フレーム２８、２８′を設ける。また、内部には床板３を設けた。
【００２５】
触れ止め用縦フレーム２８は前記立ち上がり部２７のスリット２７ａに嵌るような幅狭の薄い板体であり、触れ止め用縦フレーム２８′は立ち上がり部２７′の平面２７ｂを摺動できるような平板である。
【００２６】
トップフレーム２３は図４に示すように、仕上げ用床台２６を載せる正方形の水平枠４から柱状の垂下部２９、２９′、２９″を形成している。
【００２７】
水平枠４は前記水平枠１と同じくこれを板に変えることもでき、また、水平枠４の内部の空所もこれに筋交いやスリットを配置するなど特に限定はない。
【００２８】
前記垂下部２９は前記立ち上がり部２７と同じく中間フレーム２の触れ止め用縦フレーム２８が係合できるようなスリット２９ａを有するものとし、立ち上がり部２７′は中間フレーム２２の平板状の触れ止め用縦フレーム２８′が摺動できるような平面２９ｂを有する。
【００２９】
前記正方形の水平枠４の４隅にはボルト固定用の孔２を形成し、垂下部２９″は同４隅に設ける脚柱である。
【００３０】
トップフレーム２３に被せる仕上げ用床台２６は可動床部分として一辺が１０００〜１５００ｍｍ（図示では１１５０ｍｍ）の矩形（正方形）平面であるが、室内の床板の一部を構成するものとして、木製であり、周囲の目隠し用のスカート部２６ａを形成した箱形状のものである。
【００３１】
中間フレーム２２内に、中央を境に右ネジ５ａと左ネジ５ｂとの螺子の向きが逆行するネジシャフト５を回動可能に架設し、ネジシャフト５の中央にウォームホイール６を設ける。
【００３２】
また、前記床板３上にはモータ７を設置し、このモータ７の駆動軸に設けた円筒ウォーム８を前記ウォームホイール６に噛合させた。
【００３３】
このようにしてネジシャフト５はウォームホイール６と円筒ウォーム８によるウォームギアにより結合させるが、このウォームホイール６と円筒ウォーム８は相互に入れ替えてネジシャフト５の中央に円筒ウォーム８を、モータ７の駆動軸にウォームホイール６を設けてもよい。
【００３４】
前記ネジシャフト５には右ネジ５ａと左ネジ５ｂとに移動体としてナット９，９′を螺合させるが、これらナット９、９′は右ネジ５ａと左ネジ５ｂに合わせて相互に逆向きになる内ネジを切ったものである。
【００３５】
アーム１０をこの移動体としてのナット９、９′を有する部材とトップフレーム２３およびベースフレーム２１の内側隅部４つとアーム１０の端部を軸着して掛渡した。
【００３６】
前記ベースフレーム２１、中間フレーム２２、トップフレーム２３はピット２０に収まり、ベースフレーム２１とトップフレーム２３の立ち上がり部２７、２７′と垂下部２９、２９′は相対的に上下方向にならび、中間フレーム２２はこのベースフレーム２１とトップフレーム２３とで囲まれた内側に収まるようになる。
【００３７】
また、中間フレーム２２に対して、ベースフレーム２１とトップフレーム２３は変位するものであり、前記ナット９，９′はこれがネジシャフト５の中央に円筒ウォーム８に近接する位置で、アーム１０は一番起立していない。
【００３８】
次に使用法について説明する。先に仕様について説明すると本発明の可動床部分は室内の床の一部として設けるものであり、複数を並べて設けることも可能である。
【００３９】
床レベルは０〜６００ｍｍで、図８に示すように仕上げ用床台２６の上には観客席となる椅子３０を設置することができる。
【００４０】
仕上げ用床台２６は床面に位置し、前記のようにナット９，９′を有する部材はこれがネジシャフト５の中央に円筒ウォーム８に近接する位置で、アーム１０は一番起立していない。
【００４１】
コントローラ（図示せず）を操作してモータ７を駆動すると、ウォームギア（ウォームホイール６と円筒ウォーム８）を介してネジシャフト５が回転し、ナット９，９′は相互に遠ざかるように、ネジシャフト５の端部方向に移動していく。
【００４２】
これに伴い、アーム１０は徐々に起立していき、トップフレーム２３および仕上げ用床台２６が上昇する。
【００４３】
アーム１０の起立はベースフレーム２１を押し下げるようにも作用するが、ベースフレーム２１はピット２０の底でこれ以上下がらないので、その分中間フレーム２２が押し上げられ、トップフレーム２３の上昇に加算される。
【００４４】
このように４本のアーム１０が傘の骨が開くように上下および四方にバランスをとって開いていく。
【００４５】
このようにして仕上げ用床台２６はせり上がり、前列の非可動床部分の床と段差がつくのでホールのような状態を通り出すことができ、ミニ演奏会を行う場合、もしくは、シアターを設置する場合などに、好適な観客席を作りだすことができる。
【００４６】
また、上昇した仕上げ用床台２６を下降させるには逆の動作を行う。
【符号の説明】
【００４７】
１…水平枠                  ２…孔
３…床板                    ４…水平枠
５…ネジシャフト            ５ａ…右ネジ
５ｂ…左ネジ                ６…ウォームホイール
７…モータ                  ８…円筒ウォーム
９、９′…ナット            １０…アーム
２０…ピット                ２１…ベースフレーム
２２…中間フレーム          ２３…トップフレーム
２４、２５…電動ジャッキ    ２６…仕上げ用床台
２６ａ…スカート部
２７、２７′…立ち上がり部
２７ａ…スリット            ２７ｂ…平面
２８、２８′…触れ止め用縦フレーム
２９、２９′、２９″…垂下部
２９ａ…スリット            ２９ｂ…平面
３０…椅子
【手続補正２】
【補正対象書類名】特許請求の範囲
【補正対象項目名】全文
【補正方法】変更
【補正の内容】
【特許請求の範囲】
【請求項１】
室内の床の一部を構成する可動床部分として一辺が１０００〜１５００ｍｍの矩形な仕上床台を載置するトップフレームと、支承台としてのベースフレームと、これらトップフレーム、ベースフレームに摺動自在な中間フレームとからなり、ベースフレームとトップフレームの立ち上がり部と垂下部は相対的に上下方向にならび、中間フレームはこのベースフレームとトップフレームとで囲まれた内側に収まり、中間フレーム内に、中央を境に螺子向きが逆行するネジシャフトを回動可能に架設し、ネジシャフトの中央にウォームホイールを設け、また、中間フレームの床板上にはモータを設置し、このモータの駆動軸に設けた円筒ウォームを前記ウォームホイールに噛合させ、前記ネジシャフトに螺合させるナットを移動体として、この移動体としてのナットを有する部材とトップフレームおよびベースフレームの内側隅部４つとにアームをその端部を軸着して掛渡したことを特徴とする昇降床。